(57)【特許請求の範囲】
【請求項１】
液体収納体の液体取り出し用開口部となる筒部に合成樹脂製の蓋体を螺合させて閉じるようにした液体収納体の蓋体構造であって、蓋体の上端板部には液体吸い上げ用のチューブを差し込むための液体取り出し口が形成されており、また蓋体の内部には上端板部の下面に重なるようにシリコンあるいはゴムなどで作られて柔軟性があり、Ｏリング状の外周部と、この外周部で囲まれる範囲内に存在し外周部に折れ曲がり自在な一箇所の繋がり部で繋がり前記蓋体の上端板部の液体取り出し口を下側から開閉する円形の弁板を備えた弁体が設けられ、さらに蓋体の内部には前記弁体の外周部を蓋体の上端板部との間で挟むようにＯリング状のパッキンが設けられていることを特徴とする液体収納体の蓋体構造。
【発明の詳細な説明】
【技術分野】
【０００１】
本発明は、液体を収納する容器などの液体収納体の液体取り出し用開口部に設けられる蓋体構造に関するものである。
【背景技術】
【０００２】
従来の液体を収納する容器は例えば特許文献１に開示されているように、容器の液体取り出し用開口部に液体吸い上げチューブを容器に対して起立状態で保持する固定用キャップを嵌め込み、この固定用キャップの孔部より容器内に液体吸い上げチューブを差し込み容器内の液体を吸い上げて取り出すようにしたものが知られている。つまり、この特許文献１に開示されている前記固定用キャップは容器の液体取り出し用開口部に嵌め込んで装着され、容器の液体取り出し用開口部を閉じる蓋体を取り外した状態で固定用キャップの孔部より液体吸い上げチューブを差し込んで容器内の液体を吸い上げて取り出すものである。
【特許文献１】特開平１１−１２５４号公報
【発明の開示】
【発明が解決しようとする課題】
【０００３】
上記特許文献１に開示されている容器にあっては、固定用キャップから液体吸い上げチューブを引き抜いたままにしておくと、容器に人の足がつまづいて容器が倒れた場合、固定用キャップの孔部から容器内部の液体がこぼれ出るという問題があり、固定用キャップから液体吸い上げチューブを引き抜いたときは必ず容器の液体取り出し用開口部を蓋体で閉じておく必要があった。また、上記特許文献１に開示されているものでは、液体吸い上げチューブを容器内に差し込むために容器の液体取り出し用開口部を開閉する蓋体とは別に固定用キャップが必要であった。
【０００４】
本発明の目的は、このような課題を解決するものであり、容器あるいは合成樹脂製袋などの液体収納体が傾いたり倒れたりした場合でも液体収納体内部の液体がこぼれ出ることがなく、蓋体とは別に固定用キャップを用いる必要もなく、安価な液体収納体の蓋体構造を提供することにある。
【課題を解決するための手段】
【０００５】
本発明の請求項１に記載の液体収納体の蓋体構造は、液体収納体の液体取り出し用開口部となる筒部に合成樹脂製の蓋体を螺合させて閉じるようにした液体収納体の蓋体構造であって、蓋体の上端板部には液体吸い上げ用のチューブを差し込むための液体取り出し口が形成されており、また蓋体の内部には上端板部の下面に重なるようにシリコンあるいはゴムなどで作られて柔軟性があり、Ｏリング状の外周部と、この外周部で囲まれる範囲内に存在し外周部に折れ曲がり自在な一箇所の繋がり部で繋がり前記蓋体の上端板部の液体取り出し口を下側から開閉する円形の弁板を備えた弁体が設けられ、さらに蓋体の内部には前記弁体の外周部を蓋体の上端板部との間で挟むようにＯリング状のパッキンが設けられていることを特徴とする。
【発明の効果】
【０００６】
以上のように、本発明の液体収納体の蓋体構造は、容器あるいは合成樹脂製袋などの液体収納体にチューブが差し込まれていない状態で液体収納体が傾いたり倒れたりした場合、液体の内圧により弁板は蓋体の上端板部に形成してある液体取り出し口を内側から閉じることができ液体収納体内部の液体がこぼれ出ることがない。従って、蓋体と固定用キャップの両方を用いる必要がなく、安価な液体収納体の蓋体構造を提供することができる。
【発明を実施するための最良の形態】
【０００７】
以下、本発明の一実施の形態を、図１〜図９を用いて具体的に説明する。
図において、１は例えば洗剤や洗浄液などの液体（詳しくは後で希釈して使用される原液）を収納する合成樹脂製の容器で、この容器１の上端には一側部近傍に液体取り出し用開口部２が上方に開口して形成されている。詳しくはこの液体取り出し用開口部２は、容器１の上面より一段高くなるように形成された肩部３から立ち上がる長さの短い筒部４に形成されており、筒部４の外周面に雄ねじ部５が形成されている。液体取り出し用開口部２は前記筒部４の雄ねじ部５に螺合する雌ねじ部６が内周面に形成された合成樹脂製の蓋体７により閉じられるようになっている。蓋体７の上端板部７ａには中央に円形の液体取り出し口７ｂが形成されるとともに、この液体取り出し口７ｂの近傍に液体取り出し口７ｂよりも小さな空気孔７ｃが形成されている。そして、この蓋体７の内部には上端板部７ａの下面に重なるようにシリコンあるいはゴムなどからなる柔軟性のある弁体８が設けられ、さらに蓋体７の内部には前記弁体８を蓋体７の上端板部７ａとの間で挟むようにＯリング状のパッキン９が設けられている。このパッキン９の外径は蓋体７の内径とほぼ同じで、蓋体７にパッキン９が内装された状態において勝手に抜け落ちないようになっている。なお、前記弁体８はＯリング状の外周部８ａと、この外周部８ａで囲まれる範囲内に存在し外周部８ａに折れ曲がり自在な一箇所の繋がり部８ｂで繋がり前記蓋体７の上端板部７ａの液体取り出し口７ｂを下側から開閉する円形の弁板８ｃとを備えている。また、前記パッキン９は発泡材からなるリング状部材９ａを合成樹脂フィルムからなるシート９ｂ，９ｃで上下から挟んで構成されている。そして、前記筒部４に蓋体７を螺合させて締め付けることにより前記パッキン９が筒部４の上端に圧接するとともに前記弁体８の外周部８ａは蓋体７の上端板部７ａとパッキン９との間に挟まれ、筒部４と蓋体７とのシール性が保持される。
【０００８】
ところで、前記蓋体７の上端板部７ａに形成されている液体取り出し口７ｂには吸い上げ手段（図示せず）に繋がるチューブ１０が前記弁板８ｃを斜めに押し下げて容器１内の底まで差し込まれ、ポンプなどを用いて容器１内の液体（原液）を取り出し、希釈されて使用されるようになっている。
【０００９】
上記の構成では蓋体７は筒部４に螺合されて取り付けられているので、チューブ１０を容器１から引き抜いて蓋体７を逆転させることにより蓋体７は筒部４から簡単に取り外せるものであり、容器１内の液体が不正に抜き取られるという問題が生じる。このような問題に対処すべく、本実施の形態では蓋体７の周囲を包む硬質合成樹脂製の保護カバー１１を備え、液体取り出し用開口部２を開けるために保護カバー１１の外側から蓋体７を逆転させて外そうとしても蓋体７を回せないようになっている。その詳細について述べると、保護カバー１１は半円形の２つのカバー体１２，１３を互いに結合させて組み合わせることにより構成されるもので、各カバー体１２および１３のそれぞれの一端側には他方のカバー体１３および１２の他端側への差し込み片１２ａ，１３ａを突出するように備え、また各カバー体１２および１３のそれぞれの他端側にはカバー体１２，１３を互いに近づく方向に移動させて他端側に差し込まれた差し込み片１３ａ，１２ａの外面に形成された凹状部１３ｂ，１２ｂに嵌入してカバー体１２，１３の前記差し込み方向とは逆方向への動きを止める係止片１２ｃ，１３ｃを備えている。なお、カバー体１２，１３の上下端部には蓋体７を上下から挟むべく蓋体７の上端肩部７ｄに当接する板部１２ｄ，１３ｄと蓋体７の下面に当接する板部１２ｅ，１３ｅが設けられている。また、カバー体１２，１３の内面には他端部を除いて周方向に補強用のリブ１２ｆ，１３ｆがその先端が蓋体７の外周に当接しない長さに形成されている。さらに、カバー体１２，１３の両端部には前記差し込み片１２ａ，１３ａとの繋がり部および係止片１２ｃ，１３ｃの形成部に開口する窓部１２ｇおよび１３ｇが形成されている。
【００１０】
上記構成において、蓋体７の周囲を保護カバー１１で包むときは２つのカバー体１２，１３を蓋体７の両側に位置させ、その状態でカバー体１２，１３を互いに近づく方向に移動させて各カバー体１２および１３のそれぞれの一端側の差し込み片１２ａ，１３ａを他方のカバー体１３および１２の他端側の内側に差し込む。これにより、差し込み片１２ａ，１３ａの凹状部１２ｂ，１３ｂに係止片１３ｃ，１２ｃが嵌入し、カバー体１２，１３の前記差し込み方向とは逆方向への動きが止められる。この保護カバー１１を蓋体７の周囲を包むようにセットした状態において２つのカバー体１２，１３の結合を外すために互いに左右にずれる方向に移動させようとするとすぐに蓋体７の外面に当たるために、左右にずれる方向に移動させることができず、また２つのカバー体１２，１３を前記差し込み方向とは逆方向へ移動させようとすると前記差し込み片１２ａ，１３ａの凹状部１２ｂ，１３ｂに係止片１３ｃ，１２ｃが嵌入しているために前記差し込み方向とは逆方向へ移動させることができない。さらに、保護カバー１１を蓋体７の外周に強く圧接させて保護カバー１１と蓋体７を一体に回そうとしても、保護カバー１１が硬質合成樹脂で作られて硬いこと、前記リブ１２ｆ，１３ｆの先端が蓋体７の外周に当接しない長さに形成されていることにより、保護カバー１１は蓋体７に対して空回りすることになって蓋体７を回すことができないものである。そこで、差し込み片１２ａ，１３ａの凹状部１２ｂ，１３ｂと係止片１３ｃ，１２ｃの結合を外す場合は前記窓部１２ｇ，１３ｇの何れかの位置で差し込み片１２ａ，１３ａの何れかを内側に治具を用いて強く押すことにより差し込み片１２ａ，１３ａと係止片１３ｃ，１２ｃとの結合を解くことができるものであるが、この作業は容器１内部の液体が無くなって、再び容器１に液体を注入するために蓋体７を筒部４から外すときに行なわれる。つまり、いたずらに容器１内の液体を取り出すために蓋体７を開けようとしても適当な治具なしでは破壊しない限り保護カバー１１を外して蓋体７を開けることができないように構成されている。
【００１１】
また、蓋体７が保護カバー１１で覆われた状態で、いたずらに容器１内の液体を取り出すために前記チューブ１０を容器１から引き抜き、容器１を傾けて液体取り出し用開口部２から液体を取り出そうとしても、蓋体７の内部には前記上端板部７ａの下面に重なるようにシリコンあるいはゴムなどからなる柔軟性のある弁体８が設けられているので、液体の内圧により前記弁板８ｃが液体取り出し口７ｂや空気孔７ｃを内側から閉じることになり、容器１内の液体を取り出すことができないものである。仮に弁板８ｃがチューブ１０の差し込みにより繋がり部８ｂの位置で下向きのくせがついていても、液体の内圧により前記弁板８ｃは液体取り出し口７ｂを内側から閉じることができる。
【００１２】
また、容器１に人の足がつまづくなどして容器１が傾いたり倒れたりした場合、蓋体７の内部には前述のように上端板部７ａの下面に重なるようにシリコンあるいはゴムなどからなる柔軟性のある弁体８が設けられているので、液体の内圧により前記弁板８ｃが液体取り出し口７ｂや空気孔７ｃを内側から閉じることになり、容器１内の液体がこぼれ出ることがない。
【００１３】
ところで、以上述べた実施の形態では、液体を収納するために合成樹脂製の容器を例に挙げたが、合成樹脂製の袋や瓶、缶などの液体収納体を用いるようにしても良い。合成樹脂製の袋を用いる場合、袋は例えば段ボールなどの厚紙からなる箱体に内蔵し、箱体の上端より袋の液体取り出し用開口部となる筒部を突出させ、その筒部に前述の蓋体７を螺合させて取り付けるとともに、蓋体７を包む保護カバー１１を装着させれば良い。
【図面の簡単な説明】
【００１４】
【図１】本発明の一実施の形態における液体収納体の蓋体取り付け部構造の概略分解斜視図である。
【図２】同蓋体の拡大分解斜視図である。
【図３】同保護カバーの拡大分解斜視図である。
【図４】同保護カバーで蓋体を覆った状態を示す要部斜視図である。
【図５】同保護カバーで蓋体を覆った状態を示す要部拡大斜視図である。
【図６】図４のＸ−Ｘ断面図である。
【図７】図４のＹ−Ｙ断面図である。
【図８】同蓋体より容器内に吸い上げ用のチューブを差し込んだ状態を示す容器の全体断面図である。
【図９】同チューブが容器から引き抜かれた状態において容器が傾いた状態を示す要部拡大断面図である。
【符号の説明】
【００１５】
１              容器
２              液体取り出し用開口部
３              肩部
４              筒部
５              雄ねじ部
６              雌ねじ部
７              蓋体
７ａ            上端板部
７ｂ            液体取り出し口
７ｃ            空気孔
８              弁体
８ａ            外周部
８ｂ            繋がり部
８ｃ            弁板
９              パッキン
９ａ            リング状部材
９ｂ，９ｃ      シート
１０              チューブ
１１              保護カバー
１２，１３        カバー体
１２ａ，１３ａ    差し込み片
１２ｂ，１３ｂ    凹状部
１２ｃ，１３ｃ    係止片
１２ｄ，１３ｄ    板部
１２ｅ，１３ｅ    板部
１２ｆ，１３ｆ    リブ
１２ｇ，１３ｇ    窓部
【図１】
0005171375.tif 000002
【図２】
0005171375.tif 000003
【図３】
0005171375.tif 000004
【図４】
0005171375.tif 000005
【図５】
0005171375.tif 000006
【図６】
0005171375.tif 000007
【図７】
0005171375.tif 000008
【図８】
0005171375.tif 000009
【図９】
0005171375.tif 000010